(57)【特許請求の範囲】
【請求項１】
接続対象物と接触する接触部と、基板に接続される接続部とを備え、吸着ノズルで吸着されて基板に実装される電気接続用端子において、
前記接触部及び接続部を備えた複数の端子部と、
各端子部と一体に形成され、各端子部を連結する連結部とを備え、
連結部を、吸着ノズルによって吸着可能に形成するとともに、各端子部との連結部分を折り曲げて切り込み部から破断することにより基板に接続された各端子部から除去可能に形成し、
各端子部の接触部を接続部の一端側に設け、
連結部を、接続部が基板に載置されたときに各端子部の接触部との重量バランスがとれるように、接続部の他端側に接触部の反対側に向かって延びるように設けるとともに、基板の実装面に対して各接続部よりも高い位置に設け、
各端子部及び連結部を金属板の打ち抜き加工によって形成した
ことを特徴とする電気接続用端子。
【請求項２】
接続対象物と接触する接触部と、基板に接続される接続部とを備えた電気接続用端子を吸着ノズルで吸着して基板に実装する電気接続用端子の実装方法において、
前記電気接続用端子に、接触部及び接続部を有する複数の端子部と、各端子部を連結する連結部とを金属板の打ち抜き加工によって一体に形成するとともに、各端子部の接触部を接続部の一端側に設け、連結部を、接続部が基板に載置されたときに各端子部の接触部との重量バランスがとれるように、接続部の他端側に接触部の反対側に向かって延びるように設けるとともに、基板の実装面に対して各接続部よりも高い位置に設け、
各端子部を連結部で連結したまま連結部を吸着ノズルで吸着して基板の実装面に載置し、
各端子部の接続部を基板に接続した後、
連結部と各端子部との連結部分を折り曲げて切り込み部から破断することにより、各端子部から連結部を除去する
ことを特徴とする電気接続用端子の実装方法。
【発明の詳細な説明】
【技術分野】
【０００１】
本発明は、半田付け等によって基板に実装され、例えば携帯電話機、携帯端末、デジタルカメラ等の電子機器のバッテリーを基板と電気的に接続するために用いられる電気接続用端子及びその実装方法に関するものである。
【背景技術】
【０００２】
一般に、例えば携帯電話機の本体背面側には、充電式電池からなるバッテリーが着脱自在に取り付けられており、バッテリーの接点には携帯電話機本体側の基板に実装されたコネクタの端子が接触することにより、バッテリーと基板が電気的に接続されるようになっている（例えば、特許文献１参照）。
【０００３】
前記コネクタは、バッテリー等の接続対象物と接触する弾性変形可能な複数の端子と、各端子を保持する絶縁性のハウジングとを備え、各端子の一端側をハウジング内に固定するとともに、各端子の他端側をハウジングの一端面から外部に突出させ、接続対象物をハウジングの外部から端子の他端側に接触させることにより、各端子を接続対象物の電気接点に圧接させるように構成されている（例えば、特許文献２参照）。
【０００４】
また、前記コネクタを基板に実装する場合は、ハウジングを実装機の吸着ノズルで吸着してコネクタを基板の所定位置に載置し、リフローにより端子を基板に半田付けするようにしている。
【先行技術文献】
【特許文献】
【０００５】
【特許文献１】特開平９−３６９４１号公報
【特許文献２】特開２００８−６６１９９号公報
【発明の概要】
【発明が解決しようとする課題】
【０００６】
ところで、前述のように各端子を基板に接続する場合、端子を吸着ノズルで直接吸着して基板に実装するようにすれば、コネクタのハウジングが不要となり、構造の簡素化、軽量化及び低コスト化を図ることができる。しかしながら、このような実装方法では、端子自体にノズル用の吸着部を設けなければならず、しかも吸着部は実装時にしか必要としないため、端子を無用に大型化させるという問題点がある。また、各端子を一つずつ実装するのでは、実装作業の効率を低下させるとともに、端子同士の位置ずれが生じやすくなるという問題点もある。
【０００７】
本発明は前記問題点に鑑みてなされたものであり、その目的とするところは、複数の端子を吸着ノズルで直接吸着して基板に実装することができるとともに、端子を無用に大型化させることがなく、端子同士の位置ずれを生ずることもない電気接続用端子及びその実装方法を提供することにある。
【課題を解決するための手段】
【０００８】
本発明は前記目的を達成するために、接続対象物と接触する接触部と、基板に接続される接続部とを備え、吸着ノズルで吸着されて基板に実装される電気接続用端子において、前記接触部及び接続部を備えた複数の端子部と、各端子部と一体に形成され、各端子部を連結する連結部とを備え、連結部を、吸着ノズルによって吸着可能に形成するとともに、各端子部との連結部分を折り曲げて切り込み部から破断することにより基板に接続された各端子部から除去可能に形成し、各端子部の接触部を接続部の一端側に設け、連結部を、接続部が基板に載置されたときに各端子部の接触部との重量バランスがとれるように、接続部の他端側に接触部の反対側に向かって延びるように設けるとともに、基板の実装面に対して各接続部よりも高い位置に設け、各端子部及び連結部を金属板の打ち抜き加工によって形成している。
【０００９】
また、本発明は前記目的を達成するために、接続対象物と接触する接触部と、基板に接続される接続部とを備えた電気接続用端子を吸着ノズルで吸着して基板に実装する電気接続用端子の実装方法において、前記電気接続用端子に、接触部及び接続部を有する複数の端子部と、各端子部を連結する連結部とを金属板の打ち抜き加工によって一体に形成するとともに、各端子部の接触部を接続部の一端側に設け、連結部を、接続部が基板に載置されたときに各端子部の接触部との重量バランスがとれるように、接続部の他端側に接触部の反対側に向かって延びるように設けるとともに、基板の実装面に対して各接続部よりも高い位置に設け、各端子部を連結部で連結したまま連結部を吸着ノズルで吸着して基板の実装面に載置し、各端子部の接続部を基板に接続した後、連結部と各端子部との連結部分を折り曲げて切り込み部から破断することにより、各端子部から連結部を除去するようにしている。
【００１０】
これにより、各端子部を連結した連結部を吸着ノズルで吸着して基板の実装面に載置することにより、各端子部の接続部が基板に接続されることから、従来のように複数の端子を保持したコネクタを用いる必要がない。この場合、各端子部が連結部で連結されたまま基板に接続されることから、各端子部が同時に実装されるとともに、各端子部同士の位置ずれを生ずることもない。また、吸着ノズルによって連結部が吸着されるので、吸着ノズル用の吸着部を端子部側に設ける必要がない。更に、各端子部を基板に接続した後、各端子部から連結部を除去することにより、実装後には無用となる連結部を残存させることがない。また、各端子部の接触部が接続部の一端側に設けられ、連結部が接続部の他端側に接触部の反対側に向かって延びるように設けられることから、接続部が基板に載置されたときに各端子部の接触部と連結部との重量バランスがとられる。
【発明の効果】
【００１１】
本発明によれば、従来のように複数の端子を保持したコネクタを用いる必要がないので、構造の簡素化、軽量化及び低コスト化を図ることができる。この場合、各端子部を同時に実装することができるとともに、各端子部同士の位置ずれを生ずることがないので、迅速且つ正確な実装を行うことができる。また、吸着ノズル用の吸着部を端子部側に設ける必要がないので、その分だけ各端子部を小型化することができる。更に、実装後には無用となる連結部を残存させることがないので、各端子部の周囲に連結部用のスペースを確保する必要がないという利点がある。また、接続部が基板に載置されたときに各端子部の接触部と連結部との重量バランスをとることができるので、端子を転倒させることなく基板に確実に載置することができる。
【図面の簡単な説明】
【００１２】
【図１】本発明の一実施形態を示す電気接続用端子の斜視図
【図２】バッテリーとの接触状態を示す電気接続用端子の側面図
【図３】曲げ加工前の電気接続用端子の斜視図
【図４】曲げ加工後の電気接続用端子の斜視図
【図５】電気接続用端子の側面図
【図６】電気接続用端子の実装工程を示す斜視図
【図７】電気接続用端子の実装工程を示す斜視図
【図８】電気接続用端子の実装工程を示す斜視図
【図９】電気接続用端子の他の実装例を示す斜視図
【発明を実施するための形態】
【００１３】
図１乃至図９は本発明の一実施形態を示すものであり、例えば携帯電話機等の電子機器用のバッテリーを電子機器本体の基板と電気的に接続するために用いられる電気接続用端子及びその実装方法に関するものである。
【００１４】
同図に示す基板１は、図示しない電子機器本体内に設けられるもので、その上面側には接続対象物としてのバッテリー２が着脱自在に配置されるようになっている。
【００１５】
本実施形態の電気接続用端子は、基板１の一端側に実装される複数の端子部１０と、各端子部１０を連結する連結部２０とからなり、各端子部１０及び連結部２０は導電性の金属板によって互いに一体に形成されている。
【００１６】
各端子部１０は、基板１に接続される接続部１１と、バッテリー２の電気接点２ａに接触する接触部１２とからなり、互いに幅方向に間隔をおいて配置されている。接続部１１は平板状に形成され、その下面が基板１の導電パターン（図示せず）に接続されるようになっている。接続部１１の幅方向両端には幅方向外側に突出する突出部１１ａがそれぞれ設けられ、各突出部１１ａの前端側は上方に向かって屈曲している。接触部１２は、接続部１１の一端から上方に延出する延出部１２ａと、延出部１２ａの上端側に前方に屈曲するように形成された屈曲部１２ｂと、屈曲部１２ｂの前端にが設けられた接点部１２ｃとからなり、接点部１２ｃがバッテリー２の電気接点２ａと接触すると、接触部１２が後方に弾性変形するようになっている。
【００１７】
連結部２０は、各端子部１０の幅方向に延びる平板状に形成され、各接続部１１の他端側に設けられている。連結部２０は、その上面が各接続部１１の上面と平行になるように設けられ、各接続部１１よりも高さＨだけ上方に配置されている。この場合、連結部２０の上面は吸着ノズルＡが吸着可能な広さに形成されている。また、連結部２０は各接続部１１に延びる複数の延設部２１を有し、各延設部２１は接続部１１よりも幅の小さい帯状に形成されている。この場合、各延設部２１は、前端側と後端側がそれぞれ接続部１１及び連結部２０の高さに位置するようにクランク状に屈曲している。この場合、各延設部２１の下面には幅方向に延びる切り込み部２１ａが設けられ、切り込み部２１ａは延設部２１の前端と接続部１１との間に形成されている。また、連結部２０には厚さ方向に貫通する複数の孔２２が設けられ、各孔２２は各延設部２１の間に位置するように連結部２０の長手方向に等間隔で配置されている。
【００１８】
以上の構成からなる電気接続用端子は、図３に示すように平板状に打ち抜き加工された後、図４及び図５に示すように曲げ加工されることにより、各端子部１０及び連結部２０が形成される。
【００１９】
次に、前記電気接続用端子を基板１に実装する場合は、図６に示すように連結部２０の上面の長手方向中央部を吸着ノズルＡで吸着することにより、電気接続用端子を基板１の実装位置まで搬送し、図７に示すように半田（図示せず）を介して基板１の実装面（上面）に載置する。その際、電気接続用端子は、各接続部１１の一端側に各接触部１２が設けられ、各接続部１１の他端側に連結部２０が設けられていることから、各接続部１１の前後の重量バランスがほぼ均等になり、前方または後方に転倒することがない。次に、電気接続用端子が載置された基板１をリフローで半田付けすることにより、各接続部１１を基板１に接続した後、図８に示すように連結部２０を各端子部１０から除去する。その際、連結部２０は、各延設部２１を切り込み部２１ａから折り曲げることにより、各延設部２１が切り込み部２１ａで破断し、各端子部１０から分離する。
【００２０】
このように、本実施形態によれば、電気接続用端子に、接続部１１及び接触部１２を有する複数の端子部１０と、各端子部１０を連結する連結部２０とを一体に形成し、連結部２０を吸着ノズルＡで吸着して基板１の実装面に載置することにより、各端子部１０の接続部１１を基板１に接続するようにしたので、従来のように複数の端子を保持したコネクタを用いる必要がなく、構造の簡素化、軽量化及び低コスト化を図ることができる。この場合、各端子部１０が連結部２０で連結されたまま基板１に接続されるので、各端子部１０を同時に実装することができるとともに、各端子部１０同士の位置ずれを生ずることもなく、迅速且つ正確な実装を行うことができる。また、吸着ノズルＡによって連結部２０が吸着されるので、吸着ノズルＡ用の吸着部を端子部１０側に設ける必要がなく、その分だけ各端子部１０を小型化することができる。更に、各端子部１０を基板１に接続した後、各端子部１０から連結部２０を除去するようにしたので、実装後には無用となる連結部２０を残存させることがなく、各端子部１０の周囲に連結部２０用のスペースを確保する必要がないという利点がある。
【００２１】
また、各端子部１０との連結部分をなす各延設部２１を折り曲げて破断することにより、連結部２０を各端子部１０から分離するようにしたので、切断工具等を用いることなく連結部２０を容易に除去することができる。
【００２２】
この場合、連結部２０の各延設部２１に切り込み部２１ａを設けたので、連結部２０の除去作業を容易に行うことができるとともに、連結部２０を常に切り込み部２１ａから分離させることができ、破断部分が不揃いになることがないという利点がある。
【００２３】
また、各端子部１０の接触部１２を各接続部１１の前後方向一端側に設け、連結部２０を各接続部１１の前後方向他端側に設けたので、各接続部１１の前後の重量バランスをほぼ均等にすることができ、端子を転倒させることなく基板１に確実に載置することができる。
【００２４】
更に、連結部２０を基板１の実装面に対して各接続部１１よりも高い位置に設けたので、例えば図９の他の実装例に示すように、連結部２０の下方に基板１がある位置に実装する場合でも、連結部２０と基板１との間に隙間を確保することができ、連結部２０を容易に曲げ起こして折り取ることができる。
【００２５】
また、各端子部１０及び連結部２０を金属板の打ち抜き加工によって形成したので、各端子部１０及び連結部２０を容易に成形することができるとともに、連結部２０を打ち抜き加工時のキャリアストリップとして用いることもできる。
【００２６】
尚、前記実施形態では、３つの端子部１０を連結部２０と一体に形成したものを示したが、２つまたは４つ以上の端子部１０を連結部２０と一体に形成することも可能である。
【符号の説明】
【００２７】
１…基板、２…バッテリー、１０…端子部、１１…接続部、１２…接触部、２０…連結部、２１…延設部、２１ａ…切り込み部、Ａ…吸着ノズル。
【要約】
【課題】複数の端子を吸着ノズルで直接吸着して基板に実装することができるとともに、端子を無用に大型化させることがなく、端子同士の位置ずれを生ずることもない電気接続用端子及びその実装方法を提供する。
【解決手段】複数の端子部１０を連結した連結部２０を吸着ノズルで吸着して基板１の実装面に載置することにより、各端子部１０の接続部１１を基板１に接続するようにしたので、従来のように複数の端子を保持したコネクタを用いる必要がない。この場合、各端子部１０が連結部２０で連結されたまま基板１に接続されるので、各端子部１０を同時に実装することができるとともに、各端子部１０同士の位置ずれを生ずることもない。また、各端子部１０を基板１に接続した後、各端子部１０から連結部２０を除去するようにしたので、実装後には無用となる連結部２０を残存させることがない。
【選択図】図８【図１】
0005129372.tif 000002
【図２】
0005129372.tif 000003
【図３】
0005129372.tif 000004
【図４】
0005129372.tif 000005
【図５】
0005129372.tif 000006
【図６】
0005129372.tif 000007
【図７】
0005129372.tif 000008
【図８】
0005129372.tif 000009
【図９】
0005129372.tif 000010